(57)【要約】【課題】小型で安価なコネクタ検査治具を提供する。【解決手段】コネクタ検査治具１は、治具本体２と、複数の当接ピン３と、を備えている。治具本体２は、コネクタハウジング１１の防水部材１６が装着された側の端部１１ａに着脱可能に取り付けられる。複数の当接ピン３は、それぞれ、棒状に形成されるとともに、長手方向の一端部３ａが防水部材１６の表面１６ａに当接し且つ他端部３ｂが治具本体２から突没可能に、該治具本体２に取り付けられている。【選択図】図５
2010232018.tif 000002
【特許請求の範囲】
【請求項１】
電線の端部に取り付けられた端子金具と、前記端子金具を収容するコネクタハウジングと、前記電線が貫通し且つ前記コネクタハウジングに装着されて前記電線との間を水密に保つ防水部材と、を有するコネクタの前記防水部材の装着状態を検査するコネクタ検査治具であって、
前記コネクタハウジングの前記防水部材が装着された側の端部に着脱可能に取り付けられる治具本体と、
棒状に形成されるとともに、長手方向の一端部が前記防水部材の表面に当接し且つ他端部が前記治具本体から突没可能に該治具本体に取り付けられた複数の当接部材と、
を有していることを特徴とするコネクタ検査治具。
【請求項２】
前記治具本体が、内部に前記コネクタハウジングの前記端部を収容する凹部を有し且つ前記複数の当接部材を前記防水部材に対して接離自在に保持する本体部と、前記本体部に前記端部と所定の間隔をあけて取り付けられ且つ前記複数の当接部材各々の他端部が挿通される複数の孔を有したカバー部と、を有していることを特徴とする請求項１に記載のコネクタ検査治具。
【請求項３】
前記複数の当接部材は、それぞれ、前記防水部材が前記コネクタハウジングの正規位置に装着された際に、前記他端部が前記孔から突出しない寸法に形成されていることを特徴とする請求項２に記載のコネクタ検査治具。
【請求項４】
前記複数の当接部材が、前記防水部材の周方向に沿って互いに間隔をあけて並べられていることを特徴とする請求項３に記載のコネクタ検査治具。
【請求項５】
前記複数の当接部材が、前記防水部材の径方向に沿って互いに間隔をあけて並べられていることを特徴とする請求項４に記載のコネクタ検査治具。
【発明の詳細な説明】
【技術分野】
【０００１】
本発明は、電線の接続等に使用される防水コネクタのコネクタハウジングに装着された防水部材の装着状態を検査するために用いる検査治具に関する。
【背景技術】
【０００２】
移動体としての自動車には、多種多様な電子機器が搭載されている。このため、前記自動車は、前記電子機器に電力や制御信号などを伝送するためにワイヤハーネスを配索している。ワイヤハーネスは、複数の電線と、この電線に取り付けられたコネクタなどを備えている。電線は、導電性の芯線と、該芯線を被覆する絶縁性の被覆部と、を備えた所謂被覆電線である。そして、これらの電子機器とワイヤハーネスとは、それぞれが備えたコネクタ同士が嵌合することにより接続されている。
【０００３】
前述したコネクタとして、例えば、内部に水などの液体が浸入することを防止するために、端子金具と、該端子金具を収容するコネクタハウジングと、防水部材と、を備えた防水コネクタを用いることがある。端子金具は、導電性の板金などからなり且つ電線の端部に取り付けられて該電線の芯線と電気的に接続する。
【０００４】
コネクタハウジングは、絶縁性の合成樹脂からなり且つ端子金具を収容する端子収容室を備えた箱状に形成されている。コネクタハウジングは、相手側のコネクタと結合可能である。防水部材は、ゴムなどの弾性を有する樹脂からなる。防水部材は、コネクタハウジングの端子収容室内に圧入されて、該端子収容室と電線の端部との間を水密に保つ。
【０００５】
前述した防水コネクタは、コネクタハウジングの端子収容室内に防水部材が適正に装着されているか否かを確認する検査が行われることによって、良否が判定されてきた。そして、前述した防水コネクタの防水部材の装着状態を検査するために、従来から種々の防水検査装置（例えば、特許文献１参照。）が用いられてきた。
【０００６】
特許文献１に開示された防水検査装置は、表面にコネクタが載置される載置板と、前記載置板に移動自在に設けられた検査部と、コネクタのコネクタハウジングに装着された防水部材の装着状態を判別する判別手段と、を備えている。検査部は、コネクタハウジングに装着された防水部材に当接する当接体と、当接体をコネクタハウジングに対して付勢した状態で接離可能に支持する支持部材と、を備えている。判別手段は、光を出射する発光部と該発光部からの光を受光する受光部とを有する検出センサと、前記支持部材に取り付けられ且つ前記当接体と連動して移動可能に設けられた遮蔽部材と、を備えている。
【０００７】
前述した構成の防水検査装置は、載置板の表面にコネクタを載置すると、コネクタのコネクタハウジングに装着された防水部材に当接体が当接して、該当接体が防水部材に押圧されて移動する。すると、前記当接体の移動に連動して遮蔽部材が移動して、該遮蔽部材は、コネクタハウジングに防水部材が適正位置で装着されている場合に、検出センサの発光部からの光を遮蔽しない位置に位置付けられるとともに、コネクタハウジングに防水部材が装着されていない又は適正位置で装着されていない場合に、検出センサの発光部からの光を遮蔽する位置に位置付けられる。
【０００８】
前述したように、防水検査装置は、当接体が防水部材に当接し且つ該防水部材に押圧されて移動するとともに、当接体の移動に連動して遮蔽部材が移動して、この遮蔽部材によって検出センサの発光部からの光を遮蔽又は透過することで、コネクタハウジングに防水部材が適正に装着されているか否かを検出して、コネクタの良否を判定する。そして、検査済みのコネクタを載置板から取り外して、前述した工程と同様に、検査前のコネクタに防水部材の装着状態の検査を施す。
【先行技術文献】
【特許文献】
【０００９】
【特許文献１】特開２００３−１２３９３０号公報
【発明の概要】
【発明が解決しようとする課題】
【００１０】
しかしながら、前述した特許文献１に示された防水検査装置では、構造が複雑になり、多くの部品が必要であることから、防水検査装置自体が大型化するとともに、コスト高になってしまうという問題があった。
【００１１】
したがって、本発明は、前述した問題点に鑑み、小型で安価なコネクタ検査治具を提供することを課題としている。
【課題を解決するための手段】
【００１２】
前記課題を解決するために、請求項１に記載された発明は、電線の端部に取り付けられた端子金具と、前記端子金具を収容するコネクタハウジングと、前記電線が貫通し且つ前記コネクタハウジングに装着されて前記電線との間を水密に保つ防水部材と、を有するコネクタの前記防水部材の装着状態を検査するコネクタ検査治具であって、前記コネクタハウジングの前記防水部材が装着された側の端部に着脱可能に取り付けられる治具本体と、棒状に形成されるとともに、長手方向の一端部が前記防水部材の表面に当接し且つ他端部が前記治具本体から突没可能に該治具本体に取り付けられた複数の当接部材と、を有していることを特徴とするコネクタ検査治具である。
【００１３】
請求項２に記載された発明は、請求項１に記載の発明において、前記治具本体が、内部に前記コネクタハウジングの前記端部を収容する凹部を有し且つ前記複数の当接部材を前記防水部材に対して接離自在に保持する本体部と、前記本体部に前記端部と所定の間隔をあけて取り付けられ且つ前記複数の当接部材各々の他端部が挿通される複数の孔を有したカバー部と、を有していることを特徴とするものである。
【００１４】
請求項３に記載された発明は、請求項２に記載の発明において、前記複数の当接部材は、それぞれ、前記防水部材が前記コネクタハウジングの正規位置に装着された際に、前記他端部が前記孔から突出しない寸法に形成されていることを特徴とするものである。
【００１５】
請求項４に記載された発明は、請求項３に記載の発明において、前記複数の当接部材が、前記防水部材の周方向に沿って互いに間隔をあけて並べられていることを特徴とするものである。
【００１６】
請求項５に記載された発明は、請求項４に記載の発明において、前記複数の当接部材が、前記防水部材の径方向に沿って互いに間隔をあけて並べられていることを特徴とするものである。
【００１７】
請求項１に記載された発明によれば、コネクタのコネクタハウジングに装着された防水部材の装着状態を検査するコネクタ検査治具が、コネクタハウジングの防水部材が装着された側の端部に着脱可能に取り付けられる治具本体と、棒状に形成されるとともに長手方向の一端部が防水部材の表面に当接し且つ他端部が治具本体から突没可能に該治具本体に取り付けられた複数の当接部材と、を有しているので、複数の当接部材各々の他端部が治具本体から突出した突出量により、防水部材がコネクタハウジングの正規位置に装着されているか否かを判断することができる。このため、部品点数を増加させることなく、簡単な構造でコネクタハウジングに装着された防水部材の装着状態の良否を判断することができ、コネクタの良否を判定することができる。
【００１８】
請求項２に記載された発明によれば、治具本体が、内部にコネクタハウジングの端部を収容する凹部を有し且つ複数の当接部材を防水部材に対して接離自在に保持する本体部と、該本体部に端部と所定の間隔をあけて取り付けられ且つ複数の当接部材各々の他端部が挿通される複数の孔を有したカバー部と、を有しているので、防水部材の厚みに応じてカバー部の厚みを変更することによって、厚みの異なる種々な防水部材のコネクタハウジングへの装着状態の良否を判断することができる。
【００１９】
請求項３に記載された発明によれば、複数の当接部材は、それぞれ、防水部材がコネクタハウジングの正規位置に装着された際に、他端部がカバー部の孔から突出しない寸法に形成されているので、複数の当接部材各々の他端部がカバー部の複数の孔から突出しているか否かで、防水部材がコネクタハウジングの正規位置に装着されているか否かを容易に判断することができる。
【００２０】
請求項４に記載された発明によれば、複数の当接部材が、防水部材の周方向に沿って互いに間隔をあけて並べられているので、防水部材の周方向において当該防水部材がコネクタハウジングの正規位置に装着されていない箇所を検出することができる。
【００２１】
請求項５に記載された発明によれば、複数の当接部材が、防水部材の径方向に沿って互いに間隔をあけて並べられているので、防水部材の径方向において当該防水部材がコネクタハウジングの正規位置に装着されていない箇所を検出することができる。
【発明の効果】
【００２２】
以上説明したように、請求項１に記載の発明は、複数の当接部材各々の他端部が治具本体から突出した突出量により、防水部材がコネクタハウジングの正規位置に装着されているか否かを判断することができる。このため、部品点数を増加させることなく、簡単な構造でコネクタハウジングに装着された防水部材の装着状態の良否を判断することができ、コネクタの良否を判定することができる。よって、小型で安価なコネクタ検査治具を提供することができる。
【００２３】
請求項２に記載の発明は、防水部材の厚みに応じてカバー部の厚みを変更することによって、厚みの異なる種々な防水部材のコネクタハウジングへの装着状態の良否を判断することができる。このため、カバー部の厚みを変更することで、防水部材の厚みが異なる様々なコネクタに対応させることができ、汎用性の向上を図ることができる。
【００２４】
請求項３に記載の発明は、複数の当接部材各々の他端部がカバー部の複数の孔から突出しているか否かで、防水部材がコネクタハウジングの正規位置に装着されているか否かを容易に判断することができるので、コネクタの良否を容易に判定することができる。
【００２５】
請求項４に記載の発明は、防水部材の周方向において当該防水部材がコネクタハウジングの正規位置に装着されていない箇所を検出することができるので、防水部材がコネクタハウジングの正規位置に装着されているか否かを確実に判断することができる。よって、コネクタの良否を確実に判定することができる。
【００２６】
請求項５に記載の発明は、防水部材の径方向において当該防水部材がコネクタハウジングの正規位置に装着されていない箇所を検出することができるので、防水部材がコネクタハウジングの正規位置に装着されているか否かを確実に判断することができる。よって、コネクタの良否を確実に判定することができる。
【図面の簡単な説明】
【００２７】
【図１】本発明の一実施形態にかかるコネクタ検査治具を示す斜視図である。
【図２】図１に示されたコネクタ検査治具をコネクタに取り付けた状態を示す斜視図である。
【図３】図２に示されたコネクタ検査治具を側方から見た状態を示す側面図である。
【図４】図１に示されたコネクタ検査治具の分解斜視図である。
【図５】図３中Ｖ−Ｖ線に沿う断面図であり、コネクタの防水部材が正規位置に位置付けられた状態を示す断面図である。
【図６】図５に示されたコネクタの防水部材が正規位置に位置付けられていない状態を示す断面図である。
【図７】図６に示されたコネクタの防水部材が正規位置に位置付けられていない状態の別の例を示す断面図である。
【発明を実施するための形態】
【００２８】
以下、本発明の一実施形態にかかるコネクタ検査治具を図１乃至図７を参照して説明する。本実施形態にかかるコネクタ検査治具（以下、単に検査治具と記す）１は、移動体としての自動車に配索されるワイヤハーネス６を構成するコネクタ８の後述するコネクタハウジング１１に装着された防水部材１６の装着状態を検査する際に用いられる。
【００２９】
ワイヤハーネス６は、図１に示すように、複数の電線７と、コネクタ８と、を備えている。複数の電線７は、それぞれ、導電性の芯線と、該芯線を被覆する絶縁性の被覆部と、を備えた所謂被覆電線である。複数の電線７は、外周にテープ等の結束部材（図示せず）が巻き付けられて束ねられている。
【００３０】
コネクタ８は、端子金具１０と、コネクタハウジング１１と、防水部材１６と、を備えている。端子金具１０は、導電性の板金などが折り曲げられて得られる。端子金具１０は、電線７の端部などに取り付けられて、前記芯線と電気的に接続する。コネクタハウジング１１は、絶縁性の合成樹脂で構成されて、円筒状に形成されている。コネクタハウジング１１は、内側に複数の端子金具１０を収容する端子収容室１２を備えている。
【００３１】
端子収容室１２は、コネクタハウジング１１内に設けられた直線状の空間であり、長手方向の両端がコネクタハウジング１１の外表面に開口している。この端子収容室１２には、長手方向の一端部側、即ち内側に端子金具１０を収容した際に該端子金具１０に取り付けられた電線７が導出される側に、防水部材１６が装着される装着部１３が設けられている。装着部１３は、端子収容室１２の内周面から凹に形成されている。
【００３２】
また、コネクタハウジング１１には、当該コネクタハウジング１１即ちコネクタ８を自動車の車体や各種の電子機器などに取り付けるための、取付片１４が設けられている。取付片１４は、コネクタハウジング１１の外表面から突出し且つ該コネクタハウジング１１の長手方向の中央部に設けられている。取付片１４には、ねじが通されるねじ孔１５が貫通して形成されている。
【００３３】
防水部材１６は、ゴムなどの弾性材料で構成されており、コネクタハウジング１１の端子収容室１２に設けられた装着部１３の内周に沿う円盤状に形成されている。防水部材１６は、周知のモールド成形等によって、前述した端子金具１０に取り付けられた電線７が貫通した状態で、該電線７と一体となるように形成されている。防水部材１６は、端子収容室１２の装着部１３内に圧入されて、コネクタハウジング１１に装着される。そして、防水部材１６は、装着部１３即ち端子収容室１２の内面と端子金具１０に取り付けられた電線７の外面との双方に密に接触する。
【００３４】
前述した防水部材１６は、コネクタハウジング１１の端子収容室１２の装着部１３内に装着されて、該装着部１３即ち端子収容室１２の内面と端子金具１０に取り付けられた電線７の外面との間を水密に保って、端子収容室１２内に水などの液体が浸入することを防止する。
【００３５】
前述した構成のワイヤハーネス６は、コネクタ８が自動車に搭載される各種の電子機器のコネクタ等の相手側のコネクタと嵌合するとともに、コネクタ８の取付片１４のねじ孔１５にねじが挿通され且つねじ止めされて、自動車の車体や電子機器等と固定されて、自動車に配索される。そして、ワイヤハーネス６は、バッテリなどの電源からの電力や、制御装置などからの制御信号を、前記電子機器に供給する。
【００３６】
検査治具１は、絶縁性の合成樹脂等で構成されており、図１又は図４に示すように、治具本体２と、複数の当接部材としての当接ピン３と、を備えている。
【００３７】
治具本体２は、図４に示すように、本体部４と、カバー部５と、を備えている。本体部４は、矩形状の天板部２０と、該天板部２０の外縁から立設した筒状の側板部２１とを一体に備えた、有天筒状に形成されている。
【００３８】
天板部２０には、図４に示すように、前述した複数の電線７を通すための電線通し部２２と、カバー部５が取り付けられる取付凹部２３と、該取付凹部２３の内側に配された内側凹部２４と、複数の当接ピン３各々が挿通される複数の挿通孔２５と、が設けられている。
【００３９】
電線通し部２２は、平面形状が矩形状で且つ天板部２０の側板部２１が立設されていない側の外縁から中央に向かって切り欠かれて形成されている。電線通し部２２は、治具本体２が前述したコネクタハウジング１１の防水部材１６が装着された側の端部１１ａに取り付けられた際に、内側に複数の電線７が通される。
【００４０】
取付凹部２３は、平面形状が矩形状で且つ天板部２０の表面から凹状に形成されている。取付凹部２３は、外形がカバー部５の外形と相似形状で且つ該カバー部５より若干大きく形成されている。内側凹部２４は、平面形状が矩形状で且つ取付凹部２３の表面から凹状に形成されている。内側凹部２４は、外形が取付凹部２３の外形よりも小さく形成されている。
【００４１】
複数の挿通孔２５は、それぞれ、平面形状が円形状で且つ天板部２０を貫通して形成されている。複数の挿通孔２５は、それぞれ、内径が複数の当接ピン３各々の後述する大径部３０の外径よりも小さく且つ小径部３１の外径よりも大きく形成されている。複数の挿通孔２５は、内側凹部２４の内側に配置され且つ電線通し部２２を囲むように二重円状に互いに間隔をあけて並べられている。複数の挿通孔２５は、防水部材１６の外周に沿う円弧状で且つ防水部材１６の径方向に沿って二重円状に配置されている。
【００４２】
側板部２１には、図４に示すように、当該側板部２１をその先端から天板部２０に向かってコ字状に切り欠かれて形成された開口部２６と、突出片２７と、が設けられている。突出片２７は、側板部２１の先端から外側に向かって突出し且つ該側板部２１の開口部２６と相対する位置に設けられている。また、突出片２７には、天板部２０から離れた側の面から凸の固定凸部２８が設けられている。
【００４３】
固定凸部２８は、前述したコネクタハウジング１１の取付片１４に設けられたねじ孔１５内に挿入可能な円柱状に形成されている。固定凸部２８は、図３に示すように、コネクタハウジング１１の取付片１４のねじ孔１５内に挿入されて、本体部４がコネクタハウジング１１に対して周方向にズレないように固定する。
【００４４】
前述した構成の本体部４は、開口部２６から天板部２０と側板部２１とに囲まれる空間２９（図５に示す）にコネクタ８のコネクタハウジング１１を収容するとともに、電線通し部２２内に複数の電線７を位置付けて、コネクタハウジング１１の防水部材１６が装着された側の端部１１ａに天板部２０を当接させ且つコネクタハウジング１１の取付片１４のねじ孔１５内に固定凸部２８を挿入することで、コネクタハウジング１１の前記端部１１ａに着脱可能に取り付けられる。なお、前記空間２９は、特許請求の範囲に記載の凹部に相当する。
【００４５】
カバー部５は、図４に示すように、厚手の平板状に形成されている。カバー部５は、本体部４の天板部２０に設けられた取付凹部２３内に取り付けられると、表面５ａが天板部２０の表面と同一平面となる厚みに形成されている。
【００４６】
なお、本実施形態では、カバー部５は、取付凹部２３内に取り付けられた際に、表面５ａが天板部２０の表面と同一平面となる厚みに形成されているが、これに限定されるものではなく、取付凹部２３内にカバー部５が取り付けられた際に該カバー部５の表面５ａが天板部２０の表面と同一平面とならなくても良く、カバー部５の厚みを適宜変更しても良いことは勿論である。
【００４７】
また、カバー部５には、前述した複数の電線７を通すための切欠部３５と、複数の当接ピン３各々の後述する大径部３０を通す複数の貫通孔３６と、が設けられている。
【００４８】
切欠部３５は、平面形状が矩形状で且つカバー部５の外縁から中央に向かってコ字状に切り欠かれて形成されている。切欠部３５は、外形が前述した電線通し部２２の外形と相似形状に形成され且つ該電線通し部２２に対応した位置に配されている。
【００４９】
複数の貫通孔３６は、それぞれ、平面形状が円形状で且つカバー部５を貫通して形成されている。複数の貫通孔３６は、それぞれ、内径が複数の当接ピン３各々の後述する大径部３０の外径よりも大きく形成されている。複数の貫通孔３６は、それぞれ、前述した複数の挿通孔２５各々に対応した位置に配されている。
【００５０】
前述した構成のカバー部５は、複数の貫通孔３６内に複数の当接ピン３各々の後述する大径部３０即ち他端部３ｂを挿通した状態で、本体部４の天板部２０に設けられた取付凹部２３内に取り付けられる。そして、カバー部５は、本体部４がコネクタ８のコネクタハウジング１１の端部１１ａに取り付けられた際に、該端部１１ａと所定の間隔をあけて該端部１１ａと平行に配置される。
【００５１】
複数の当接ピン３は、それぞれ、図４に示すように、直線状に延在した棒状に形成されている。複数の当接ピン３は、それぞれ、大径部３０と、該大径部３０に連なる小径部３１とを一体に備えている。複数の当接ピン３は、それぞれ、長手方向の一端部３ａ側に小径部３１が配され且つ他端部３ｂ側に大径部３０が配されている。大径部３０と小径部３１とは、それぞれ、円筒状に形成されており、互いに同軸に即ち直列に配されている。
【００５２】
複数の当接ピン３は、それぞれ、大径部３０の外径が前述した本体部４の挿通孔２５の内径よりも大きく形成されているとともに、小径部３１の外径が前記挿通孔２５の内径よりも小さく形成されている。また、複数の当接ピン３は、それぞれ、大径部３０の外径が前述したカバー部５の貫通孔３６の内径よりも小さく形成されている。
【００５３】
前述した複数の当接ピン３は、それぞれ、小径部３１が複数の挿通孔２５各々に通されて、図５に示すように、本体部４の天板部２０のコネクタハウジング１１に相対する面から一端部３ａが突出した状態で、本体部４に取り付けられる。複数の当接ピン３各々の大径部３０は、本体部４の天板部２０から当接ピン３が脱落することを規制している。
【００５４】
そして、複数の当接ピン３は、カバー部５が本体部４の取付凹部２３内に取り付けられると、各々の大径部３０即ち他端部３ｂがカバー部５の複数の貫通孔３６内に通されて、当該当接ピン３の他端部３ｂが複数の貫通孔３６からカバー部５の表面５ａ側に突没可能となる。こうして、複数の当接ピン３は、治具本体２に取り付けられる。
【００５５】
前述した構成の複数の当接ピン３は、それぞれ、検査治具１の治具本体２の本体部４を前述したコネクタハウジング１１の防水部材１６が装着された側の端部１１ａに取り付けると、一端部３ａが防水部材１６の表面１６ａに当接する。また、複数の当接ピン３は、それぞれ、防水部材１６が装着部１３内に装着されている状態即ちコネクタハウジング１１の正規位置に装着された際に、他端部３ｂがカバー部５の複数の貫通孔３６から該カバー部５の表面５ａ側に突出しない寸法に形成されている。
【００５６】
前述した構成の検査治具１は、まず、治具本体２の本体部４の天板部２０に設けられた複数の挿通孔２５内に複数の当接ピン３各々の小径部３１が通されて、該複数の当接ピン３各々の一端部３ａが天板部２０のコネクタハウジング１１に相対する面から突出した状態で、複数の当接ピン３が本体部４に取り付けられる。そして、カバー部５を該カバー部５の複数の貫通孔３６内に複数の当接ピン３各々の大径部３０即ち他端部３ｂが通された状態で取付凹部２３に取り付ける。
【００５７】
こうして、検査治具１は、図１に示すように、治具本体２の本体部４が複数の当接ピン３をコネクタハウジング１１の防水部材１６に対して接離自在に保持するとともに、複数の当接ピン３各々の他端部３ｂがカバー部５の表面５ａ即ち治具本体２から突没可能な格好で、組み立てられる。
【００５８】
前述した構成の検査治具１を用いて、ワイヤハーネス６のコネクタ８の防水部材１６の装着状態を検査する際には、まず、図２に示すように、治具本体２の本体部４の開口部２６から天板部２０と側板部２１とに囲まれる空間２９に、コネクタ８のコネクタハウジング１１の防水部材１６が装着された側の端部１１ａを収容するとともに、電線通し部２２及びカバー部５の切欠部３５内に複数の電線７を位置付ける。
【００５９】
そして、本体部４の天板部２０をコネクタハウジング１１の端部１１ａに当接させ且つ固定凸部２８をコネクタハウジング１１の取付片１４のねじ孔１５内に挿入して、コネクタ８のコネクタハウジング１１の端部１１ａに治具本体２を取り付ける。すると、複数の当接ピン３の一端部３ａが防水部材１６の表面１６ａに当接する。
【００６０】
このとき、図５に示すように、防水部材１６が装着部１３内に装着されている状態、即ちコネクタハウジング１１の正規位置に位置付けられている場合、複数の当接ピン３各々の他端部３ｂが、カバー部５の各貫通孔３６から該カバー部５の表面５ａ側に、即ち治具本体２から突出しない状態となる。
【００６１】
また、図６に示すように、防水部材１６が装着部１３内に装着されずにコネクタハウジング１１の端部１１ａから突出している状態、即ちコネクタハウジング１１の正規位置に位置付けられていない場合、複数の当接ピン３各々の他端部３ｂが、カバー部５の各貫通孔３６から該カバー部５の表面５ａ側に、即ち治具本体２から突出する。
【００６２】
さらに、図７に示すように、防水部材１６の一部が装着部１３内に装着されずにコネクタハウジング１１の端部１１ａから突出している状態、即ちコネクタハウジング１１の正規位置に位置付けられていない場合、防水部材１６の装着部１３内に装着されていない箇所に対応する当接ピン３の他端部３ｂが、カバー部５の各貫通孔３６から該カバー部５の表面５ａ側に、即ち治具本体２から突出する。
【００６３】
こうして、前述した検査治具１は、複数の当接ピン３各々の他端部３ｂがカバー部５の各貫通孔３６から該カバー部５の表面５ａ側に、即ち治具本体２から突出しているか否かを作業員が目視することで、防水部材１６がコネクタハウジング１１の正規位置に装着されているか否かを判断して、コネクタ８の良否を判定する。このように、検査治具１は、コネクタ８のコネクタハウジング１１に装着された防水部材１６の装着状態を検査する。
【００６４】
本実施形態によれば、コネクタ８のコネクタハウジング１１に装着された防水部材１６の装着状態を検査する検査治具１が、コネクタハウジング１１の防水部材１６が装着された側の端部１１ａに着脱可能に取り付けられる治具本体２と、棒状に形成されるとともに長手方向の一端部３ａが防水部材１６の表面１６ａに当接し且つ他端部３ｂが治具本体２から突没可能に該治具本体２に取り付けられた複数の当接ピン３と、を有している。
【００６５】
このため、複数の当接ピン３各々の他端部３ｂが治具本体２から突出した突出量により、防水部材１６がコネクタハウジング１１の正規位置に装着されているか否かを判断することができる。したがって、部品点数を増加させることなく、簡単な構造でコネクタハウジング１１に装着された防水部材１６の装着状態の良否を判断することができ、コネクタ８の良否を判定することができる。よって、小型で安価な検査治具１を提供することができる。
【００６６】
また、治具本体２が、内部にコネクタハウジング１１の端部１１ａを収容する空間２９を有し且つ複数の当接ピン３を防水部材１６に対して接離自在に保持する本体部４と、該本体部４に端部１１ａと所定の間隔をあけて取り付けられ且つ複数の当接ピン３各々の他端部３ｂが挿通される複数の貫通孔３６を有したカバー部５と、を有している。
【００６７】
このため、防水部材１６の厚みに応じてカバー部５の厚みを変更することによって、厚みの異なる種々な防水部材１６のコネクタハウジング１１への装着状態の良否を判断することができる。このため、カバー部５の厚みを変更することで、防水部材１６の厚みが異なる様々なコネクタ８に対応させることができ、汎用性の向上を図ることができる。
【００６８】
さらに、複数の当接ピン３は、それぞれ、防水部材１６がコネクタハウジング１１の正規位置に装着された際に、他端部３ｂがカバー部５の貫通孔３６から突出しない寸法に形成されているので、複数の当接ピン３各々の他端部３ｂがカバー部５の複数の貫通孔３６から突出しているか否かで、防水部材１６がコネクタハウジング１１の正規位置に装着されているか否かを容易に判断することができる。このため、コネクタ８の良否を容易に判定することができる。
【００６９】
また、複数の当接ピン３が、防水部材１６の周方向に沿って互いに間隔をあけて並べられているので、防水部材１６の周方向において当該防水部材１６がコネクタハウジング１１の正規位置に装着されていない箇所を検出することができる。このため、防水部材１６がコネクタハウジング１１の正規位置に装着されているか否かを確実に判断することができる。したがって、コネクタ８の良否を確実に判定することができる。
【００７０】
さらに、複数の当接ピン３が、防水部材１６の径方向に沿って互いに間隔をあけて並べられているので、防水部材１６の径方向において当該防水部材１６がコネクタハウジング１１の正規位置に装着されていない箇所を検出することができる。このため、防水部材１６がコネクタハウジング１１の正規位置に装着されているか否かをより確実に判断することができる。したがって、コネクタ８の良否をより確実に判定することができる。
【００７１】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００７２】
１      コネクタ検査治具
２      治具本体
３      当接ピン（当接部材）
３ａ    一端部
３ｂ    他端部
４      本体部
５      カバー部
７      電線
８      コネクタ
１０    端子金具
１１    コネクタハウジング
１１ａ  端部
１６    防水部材
１６ａ  表面
２９    空間（凹部）
３６    貫通孔（孔）
【図１】
2010232018.tif 000003
【図２】
2010232018.tif 000004
【図３】
2010232018.tif 000005
【図４】
2010232018.tif 000006
【図５】
2010232018.tif 000007
【図６】
2010232018.tif 000008
【図７】
2010232018.tif 000009